(57)【要約】【課題】  本発明は、様々な大きさ・形状の乳房に密着させることができ、パッドのズレを抑制することができる胸パッドを提供することを課題とする。【解決手段】  女性の乳房を覆うパッド本体を備え、このパッド本体は、前記乳房の外形に沿って形成される薄肉部と、前記乳房の下周部を支持するＵ字状の厚肉部と、前記パッド本体の外縁部に形成される可撓性を有した変形部分と、を有し、前記厚肉部は、前記乳房側に向かって膨らむように形成されていることを特徴とする構成となっている。【選択図】図５
2018076610.tif 000002
【特許請求の範囲】
【請求項１】
女性の乳房を覆うパッド本体を備え、
このパッド本体は、
前記乳房の外形に沿って形成される薄肉部と、
前記乳房の下周部を支持するＵ字状の厚肉部と、
前記パッド本体の外縁部に形成される可撓性を有した変形部分と、を有し、
前記厚肉部は、前記乳房側に向かって膨らむように形成されていることを特徴とする、胸パッド。
【請求項２】
前記変形部分は、前記厚肉部の下縁に沿って形成されていることを特徴とする、請求項１に記載の胸パッド。
【請求項３】
前記変形部分は、１ｃｍ以上の幅を有していることを特徴とする、請求項１又は請求項２に記載の胸パッド。
【請求項４】
請求項１〜３のいずれかに記載の胸用パッドと、
少なくとも女性の乳房を覆う女性用衣類と、を備えたことを特徴とする、胸パッド付女性用衣類。
【請求項５】
前記女性用衣類は、ストラップレスドレスであることを特徴とする、請求項４に記載の胸パッド付女性用衣類。
【発明の詳細な説明】
【技術分野】
【０００１】
本発明は、女性が身に着ける女性用衣類の胸部に装着して、胸部を豊満にみせるバストアップ用の胸パッド及び胸パッド付女性用衣類に関するものである。
【背景技術】
【０００２】
従来より、女性用衣類と乳房との間に介挿して、胸部を豊満にみせるバストアップ用の胸パッドが種々提案されている（例えば、特許文献１）。
【０００３】
特許文献１には、「カップ付き女性用衣類のカップ部に装着され、ボリュームアップ機能を果たす柔軟性と弾発性を有する素材で構成された厚肉部を備えるパッドにおいて、脇寄り部分から中間部分を経て前中心寄り部分にかけて下縁が滑らかな凸型に湾曲し、前記中間部分の上縁が凹型に括れ、前記中間部分の幅が前記脇寄り部分と前記前中心寄り部分のいずれの幅よりも狭くされていることを特徴とするパッド」の技術が記載されている。
【０００４】
このような肉厚部を備えることにより、美麗で豊満なバストラインを創造しつつ、着用者には圧迫感や違和感、異物感を与えない優れた着用感を実現できるとされている。
【先行技術文献】
【特許文献】
【０００５】
【特許文献１】特許第４０３８３６９号公報
【発明の概要】
【発明が解決しようとする課題】
【０００６】
ところで、このような胸パッドを用いてバストアップを図るためには、乳房を押し上げる好ましい位置に配置する必要がある。そのため、日常動作や運動によって胸パッドが好ましい位置からズレてしまった場合には、その都度胸パッドの位置を調節する必要があった。
【０００７】
そこで、本発明者は、胸パッドを乳房により密着させることで、好ましい位置からのズレを抑制できると考えた。しかしながら、女性の乳房は人によって大きさ・形状が異なっており、さらには、同じ人であっても左右で大きさや形状が異なる場合がある。このような問題に対し、様々な大きさ・形状の乳房に適用可能な胸パッドについて鋭意検討を行った結果、胸パッドの外縁部を乳房に合わせて変形させることで、密着性が向上しパッドズレが抑制されることを見出した。
【０００８】
本発明は、上記実情に鑑みてなされた発明であり、様々な大きさ・形状の乳房に密着させることができ、パッドのズレを抑制することができる胸パッドを提供することを課題とする。
【課題を解決するための手段】
【０００９】
上記課題を解決するため、本発明に係る胸パッドは、
女性の乳房を覆うパッド本体を備え、
このパッド本体は、
前記乳房の外形に沿って形成される薄肉部と、
前記乳房の下周部を支持するＵ字状の厚肉部と、
前記パッド本体の外縁部に形成される可撓性を有した変形部分と、を有し、
前記厚肉部は、前記乳房側に向かって膨らむように形成されていることを特徴とする。
【００１０】
このように、パッド本体の外縁部に可撓性を有した変形部分を備えることにより、様々な乳房の形に合わせてパッド本体の角度や位置を調節することができる。これにより、着用者との密着性を高めて、パッドがズレてしまうことを防止することができる。
【００１１】
本発明の好ましい形態では、前記変形部分は、前記厚肉部の下縁に沿って形成されていることを特徴とする。また、本発明の好ましい形態では、前記変形部分は、１ｃｍ以上の幅を有していることを特徴とする。
このような構成を有することで、さらに着用者との密着性を高めることができる。
【発明の効果】
【００１２】
本発明によれば、様々な大きさ・形状の乳房に密着させることができ、パッドのズレを抑制することができる胸パッドを提供することができる。
【図面の簡単な説明】
【００１３】
【図１】本発明の一実施形態に係る胸パッドの使用状態を示す斜視図である。
【図２】本発明の一実施形態に係る胸パッドの使用状態を示す斜視図である。
【図３】本発明の一実施形態に係る胸パッドを示す正面図及び縦断面図である。
【図４】本発明の一実施形態に係る胸パッドの外形を示す斜視図である。
【図５】本発明の一実施形態に係る胸パッドの使用状態を示す側面図である。
【発明を実施するための形態】
【００１４】
以下、本発明を図面に示した好ましい一実施形態について図１〜５を用いて詳細に説明する。本発明の技術的範囲は、添付図面に示した実施形態に限定されるものではなく、特許請求の範囲に記載された範囲内において、適宜変更が可能である。
【００１５】
本発明に係る胸パッドＰは、図１及び図２に示すように、乳房Ｂを覆うパッド本体１０を備えており、女性用衣類（ストラップレスドレスＤ）と乳房Ｂとの間に介挿することにより、着用者Ｈのバストアップに寄与することができる。
【００１６】
この図１及び図２においては、女性用衣類としてストラップレスドレスＤとスカートＳを示したが、少なくとも女性の乳房を覆う女性用衣類であれば、当然に適用することが可能である。具体的には、ブラジャー、水着、スポーツ用ブラジャー、レオタード、トップス、ブラスリップ、ブラキャミソール、ボディスーツ、各種ドレス等、を例示することができる。
【００１７】
図３及び図４は、パッド本体１０の外形を示す図であり、図３（ａ）は正面図を、図３（ｂ）は図３（ａ）のＸ−Ｘ線断面図を、図４は斜視図を、それぞれ示している。
パッド本体１０は、着用者Ｈの乳房Ｂの外形に沿って形成される薄肉部１１と、乳房Ｂの下周部を支持するＵ字状の厚肉部１２と、パッド本体１０の外縁部に形成される可撓性を有した変形部分１３と、を有している。
【００１８】
このパッド本体１０を形成する素材としては、肌ざわりのよい素材であれば特に限定されるものではないが、ウレタンフォーム、不織布、ダブルニット、ダブルラッセル等を用いるのが好ましい。また、このパッド本体１０は、上記素材に対しプレス成形等により、全体として中心部が前方へ突出した椀状に形成されている。
【００１９】
なお、女性用衣類側に面するパッド本体１０の表面１０ａ側は、美麗で豊満なバストラインを形成可能なよう“段”が表出しないよう構成されている。一方で、乳房Ｂ側に面する裏面側１０ｂは、乳房Ｂの下周部を支持する厚肉部１２の“段”が形成されている。
【００２０】
薄肉部１１は、乳房Ｂの外形に沿って湾曲しており、乳房Ｂに密着して美麗で豊満なバストラインとなる形状に形成されている。この薄肉部１１の中心部は、特に限定されるものではないが、１．０ｍｍ〜３．０ｍｍの範囲の厚さに設定されている。そして、中心部から上辺１１ａに向かって次第に薄く形成され、上辺１１ａの厚みは１．０ｍｍ以下の厚さに設定されていることが好ましい。
【００２１】
厚肉部１２は、乳房Ｂ側に向かって膨らむように形成されており、乳房Ｂの下周部を押し上げ可能なようＵ字状に形成されている。この厚肉部１２は、乳房Ｂの下周部に当接し、その下周縁部のまわりから乳房Ｂの中央部に向かって押圧するため、バスト全体を乳頭方向に寄せてボリュームアップを図ることができる。
【００２２】
この厚肉部１２の厚さは、パッド本体１０の形状が乳房Ｂにフィットする形状に維持される範囲であればよく、薄肉部１１よりも肉厚に形成させていれば特に限定されるものではないが、好ましくは３．０ｍｍ〜１０．０ｍｍの範囲に設定されている。なお、この厚肉部１２の上縁１２ａ及び下縁１２ｂには、テーパーが設けられており、厚肉部１２の中心軸に向かってなだらかに厚くなるよう構成されている。なお、厚肉部１２の中心軸は、脇寄り部分から中間部分を経て前中心寄り部分に至るまで同等に形成されている。
【００２３】
変形部分１３は、可撓性を有する材料で形成されており、着用者Ｈの乳房Ｂの大きさや形状に応じて変形可能なよう構成されている。この変形部分１３は、少なくともＵ字状に配置された厚肉部１２の下縁１２ｂに沿って形成されており、１ｃｍ以上の幅Ｗを有していることが望ましい。なお、この変形部分１３は、パッド本体１０の外縁部全体に設けてもよい。
【００２４】
次に、この胸用パッドＰの使用状態について、図５を参照して詳細に説明する。
図５は、本実施形態に係る胸パッドＰの使用時を示す側断面図であり、胸パッドＰを使用しない場合の乳房Ｂ０の形状（二点鎖線）と、胸パッドＰを使用した場合の乳房Ｂ１の形状（実線）と、をそれぞれ示している。
【００２５】
すなわち、乳房Ｂ０をＵ字状の厚肉部１２により左右の乳房Ｂ，Ｂを上向きに押し上げることにより、中央の谷間を形成して、優美でふくよかな女性らしい谷間を強調した美しい胸元に見せることができる。また、変形部分１３が乳房Ｂの形状に合わせて折れ曲がるように変形することにより、厚肉部１２を好ましい位置に密着させている。
【００２６】
本発明によれば、パッド本体１０の外縁部に変形部分１３を設けることにより、パッド本体１０の位置や角度を、乳房Ｂの大きさや形状に合わせて調節することができる。これにより、パッド本体１０を様々な大きさや形状の乳房Ｂに適した形状に変化させて、バストアップに適切な位置に密着させることができる。
【００２７】
例えば、乳房Ｂのサイズが大きい場合には、変形部分１３は乳房Ｂの形状に沿うためあまり変形しないが、乳房Ｂのサイズが小さい場合には、変形部分１３は外側に折れ曲がるように変形して、パッド本体１０を乳房Ｂに密着させることができる。同様に、様々な形状の乳房Ｂに対しても、変形部分１３が適宜変形することにより、着用者との密着性を高め、パッドがズレてしまうことを防止することができる。
【００２８】
また、本発明によれば、着用者との密着性を高めることにより、バストアップ効果を有効に発揮させることができる。すなわち、バストアップに好ましい位置である乳房Ｂの下周部に、厚肉部１２を確実に当接させることができるため、左右の乳房Ｂ，Ｂを上向きに押し上げて、優美でふくよかな女性らしい谷間を強調した美しい胸元が形成することができる。その結果、バストのボリュームのある人や無い人にかかわらずバストを引き締めて美しく補整し、特に図５に示す乳房Ｂ０のように垂れ下がり気味のバストを持ち上げるのに効果的である。
【００２９】
また、本発明によれば、パッド本体１０の上辺１１ａの厚みを非常に薄く形成しているので、女性用衣服で覆った際に、肌になじんで着用感が良好であると共に、胸部において衣服に段が生ずることが無く、自然な外観とすることができる。
また、パッド本体１０の表面１０ａ側に段が形成されていないため、衣服の胸部において段が生じず、美麗で豊満なバストラインを形成することができる。
【００３０】
また、本実施形態によれば、１ｃｍ以上の幅Ｗを有する変形部分１３を備えている。このように幅広な変形部分１３を有していることにより、変形部分１３の最外周部が乳房Ｂの周囲の肌に接触し、変形部分１３の弾性によってパッド本体１０が支持されるため、パッド本体１０のズレを防止することができる。
なお、ブラジャー等の乳房Ｂの外形に沿った女性用衣類に適用する場合には、変形部分１３を女性用衣類と乳房Ｂ周囲の肌とで挟むことにより、パッド本体１０を固定してズレを防止することができる。
【００３１】
また、本実施形態によれば、ストラップレスドレスＤのような、肩紐などの支持具が見えない方が美しい女性用衣類に対しても好適に用いることができる。すなわち、本実施形態に係る胸パッドＰは、着用者との密着性を高めてパッドズレを防止することができるため、ストラップドレスＤでダンスを踊るといったパーティにおいても好適に着用することができる。
【符号の説明】
【００３２】
１０  パッド本体
１１  薄肉部
１２  厚肉部
１３  変形部分
Ｂ  乳房
Ｃ  女性用上衣
Ｈ  着用者
Ｐ  胸パッド
Ｓ  女性用下衣
【図１】
2018076610.tif 000003
【図２】
2018076610.tif 000004
【図３】
2018076610.tif 000005
【図４】
2018076610.tif 000006
【図５】
2018076610.tif 000007